(57)【特許請求の範囲】
【請求項１】
本体ケースの底面の開口の近傍に設けた駆動体によって回転する掃除機用床ノズルの回転ロータにおいて、該回転ロータは、棒状体のロータと、該ロータに取付けられた清掃体と、該ロータの両端に取付けられ該開口の長手方向両端に設けた軸受に回転自在に支持される軸を備えたブラケットとからなり、該ロータは、軸心より放射状に外方に伸びる複数の羽根３９と、羽根３９それぞれの先端に清掃体を支持するための支持溝３５と、羽根３９それぞれに該ブラケットに設けた筒状部３８に嵌合する嵌合ガイド３７とが押出し成形されたものであり、長手方向の中心軸線の回りに捩りを加えて螺旋状に形成され、該ブラケットの筒状部３８には羽根３９に挿入できるように対応する位置に切欠４０が設けられていることを特徴とする掃除機用床ノズルの回転ロータ。
【発明の詳細な説明】
【０００１】
【発明の属する技術分野】
本発明は、掃除機のアタッチメントとして使用される床ノズルに内蔵される回転ロータに関するものである。
【０００２】
【従来の技術】
図７、８は、例えば特開平８−５１１号公報に示された従来の掃除機用床ノズルの回転ロータを示す一部を断面にした正面図、ロータの端部とブラケットの斜視図である。図において、１は回転ロータで、回転ロータ１を構成するロータ２を金属製の円柱状とし、その外周に開口する複数の支持溝３を、ロータ２の長手方向に捩りを加えて螺旋状とし、支持溝３に清掃体４を挿入し、ロータ２の両端部５の外周とブラケット６の内周７を嵌合させて回転ロータを組み立てている。
【０００３】
このように構成した従来の掃除機用床ノズルの回転ロータを回転させて床面等の掃除を行えば、清掃体が床面を擦り、床面の塵埃をかき上げて、清掃効果を発揮する。
【０００４】
【発明が解決しようとする課題】
上記のように構成した掃除機用床ノズルの回転ロータによれば、ロータの両端部の外周にブラケットの内周を嵌合させているため、ブラケットの外径はロータの外径より大きなものになっていた。ロータ自体が小径の場合はブラケットもそれほど大きなものにはならないが、例えば、清掃効果をさらに高めるために、６条あるいはそれ以上の清掃体を用いる場合においては、清掃体を挿入固定するための支持溝が清掃体の数と同数必要になるためロータの外径が大きくなり、ブラケットも、その内周がロータの外周と嵌合するために外径が非常に大きくなり、最終的に回転ロータを収納しているケース自体も大きくなってしまうという欠点を有していた。
【０００５】
また、ロータの外径が大きくなった場合、ブラケットの内径に合わせてロータの両端部を切削加工して嵌合させる方法も考案されているが、切削コストが余分にかかってしまうため高価なものになってしまうという欠点を有していた。
【０００６】
本発明は、上記のような問題を解決するためになされたもので、回転ロータを構成するロータが大径であっても、ブラケットを安価でコンパクトにできる構造を提供することによって、回転ロータ収納部の省スペース化をはかることを目的としている。
【０００７】
【課題を解決するための手段】
本発明にかかる掃除機用床ノズルの回転ロータは、上記の目的を達成するため次のように構成したものである。すなわち、本体ケースの底面の開口の近傍に設けた駆動体によって回転する掃除機用床ノズルの回転ロータにおいて、該回転ロータは、棒状体のロータと、該ロータに取付けられた清掃体と、該ロータの両端に取付けられ該開口の長手方向両端に設けた軸受に回転自在に支持される軸を備えたブラケットとからなり、該ロータは、軸心より放射状に外方に伸びる複数の羽根３９と、羽根３９それぞれの先端に清掃体を支持するための支持溝３５と、羽根３９それぞれに該ブラケットに設けた筒状部３８に嵌合する嵌合ガイド３７とが押出し成形されたものであり、長手方向の中心軸線の回りに捩りを加えて螺旋状に形成され、該ブラケットの筒状部３８には羽根３９に挿入できるように対応する位置に切欠４０が設けられていることを特徴としている。
【０００８】
【発明の実施の形態】
実施の形態
図１から図５に実施の形態を示す。図において、２０は床ノズルであり、以下にその構成を説明する。２１は、底面に横長の開口２２を有する下ケース２３と、この下ケース２３を覆う上ケース２４より形成された本体ケースでその中央には一端が開口２２に連通し、他端は本体ケース２１の後端まで延在する中央通路２５を有している。
【０００９】
２６は一端が中央通路２５に位置し、他端が電気掃除機本体（図示せず）に接続される吸気パイプ、２７は回転ロータでロータ２８と清掃体２９、軸３０と減速用歯車３１Ａを有するブラケット３２Ａ、軸３０を有するブラケット３２Ｂより構成され、開口２２の長手方向の両端に固定された軸受け３３に軸３０が回転自在に支持され、清掃体２９の自由端３４はその回転時に開口２２より突出される。
【００１０】
回転ロータ２７を構成するロータ２８はアルミニウムやその合金にて押し出し成形された直線状の棒状体である。ロータ２８には清掃体２９を支持するための支持溝３５及び、ブラケット３２Ａ、３２Ｂを挿入固定するための嵌合ガイド３７が、ロータ２８の軸心より放射状に外方に伸びた複数の羽根３９に各々設けられている。
【００１１】
ブラケット３２Ａ、３２Ｂは、ロータ２８に設けられた嵌合ガイド３７の外径に嵌まり合う寸法の内径をもった筒状部３８を有しており、筒状部３８にはロータ２８に挿入する際に羽根３９に対応する位置に切欠４０が設けられている。
【００１２】
ロータ２８を所定の長さに切断し、両端部に捩るための工具を取り付け所定の角度、中心軸線の周りに捩りを加えることによって、工具で掴んだ両端部は真っすぐのままで、工具で掴んだ部分以外を螺旋状とする。清掃体２９の基部３６をロータ２８の支持溝３５に挿入固定しロータ２８の両端部の真っすぐの部分にブラケット３２Ａ、３２Ｂを固着して回転ロータ２７が完成する。ブラケット３２Ａ、３２Ｂはその筒状部３８の内径とロータ２８の嵌合ガイド３７の外径が嵌まり合うことによって固着されている。このとき、筒状部３８の切欠４０にロータ２８の羽根３９が嵌まっているのでブラケット３２Ａ、３２Ｂの回り止め効果も得られる。また、ブラケット３２Ａ、３２Ｂの外径は、清掃体２９が支持溝３５から抜けないようにロータ２８の外径と一致している。
【００１３】
４１は回転ロータ２７を回転させる電動機よりなる駆動体で、軸４２には減速用歯車３１Ｂが固定されている。４３は減速用歯車３１Ａと減速用歯車３１Ｂに巻回された伝達用のベルトである。
【００１４】
このように構成された床ノズル２０は、掃除機本体（図示せず）の運転に伴い外気は開口２２より中央通路２５を通過し、吸気パイプ２６を介して掃除機本体（図示せず）に吸引される。このとき、駆動体４１が回転し、その回転は減速用歯車３１Ａ、ベルト４３、減速用歯車３１Ｂにより回転ロータ２７に伝達される。回転ロータ２７に装着された清掃体２９は回転し、その自由端３４は開口２２より突出して回転しながら床面に衝突し、床面に付着した塵埃や散乱したゴミ等を開口２２内に直接かき上げたり吸引される外気流に塵埃を乗せる。
【００１５】
回転ロータ２７は前記のように構成されているため、大径になったロータ２８を用いてもブラケット３２Ａ、３２Ｂ自体はコンパクトにできるため、収納部の省スペース化がはかれる。
【００１６】
さらに、ロータ２８の両端部において、ブラケット３２Ａ、３２Ｂが、ロータ２８の外側にかぶっていないので、ロータ２８の全長にわたって清掃体２９を装着できる。よってロータ２８の全長をロスなく清掃部分として利用できるため、清掃効率が高い回転ロータ２７となる。
【００１７】
なお、回転ロータ２７の回転を行うための駆動体４１を電動機で説明したが、掃除機本体（図示せず）に収納される電動送風機（図示せず）の吸引力により、ファンを回転させたり、床ノズル２０の走行用車輪（図示せず）の回転等を用いて駆動体を形成してもよいものである。
【００１８】
さらに、その他の実施例として図６に示すような、床ノズル上面に設けた空気取り入れ口４４より流れ込む空気を直接、清掃体２９に当てることにより回転ロータ２７自身が回転する構造のものがあるが、本考案ではブラケット３２Ａ、３２Ｂをコンパクトな形状に保ったままロータ２８を大径にできるので、より大きな回転力を得ることができ、清掃効率の向上につながる。
【００１９】
【発明の効果】
以上の説明から明らかなように、本発明の掃除機用床ノズルは次に示すような効果を得ることができる。
回転ロータを構成するロータは、軸心より放射状に外方に伸びた複数の羽根に各々支持溝及び嵌合ガイドを有し、ロータを長手方向の中心軸線の回りに捩りを加えて螺旋状にし、支持溝には清掃体を挿入固定し、嵌合ガイドにはブラケットを構成する筒状部を嵌合させて、ロータの両端にブラケットを固着したので、ロータが大径になってもブラケットをコンパクトにでき、むだなスペースを確保する必要がない。また、ロータの全長にわたって清掃体を装着できるため清掃効率が向上する。
【図面の簡単な説明】
【図１】  本発明の実施の形態の横断面図である。
【図２】  図１の上ケースを除いた斜視図である。
【図３】  本発明の回転ロータの正面図である。
【図４】  本発明の回転ロータを構成するロータ及びブラケットの斜視図である。
【図５】  本発明の回転ロータのブラケットを取り付ける前の状態を示す斜視図である。
【図６】  本発明のその他の実施例を示す床ノズルの一部断面図である。
【図７】  従来の回転ロータの一部を断面にした正面図である。
【図８】  従来の回転ロータを構成するロータの端部とブラケットの斜視図である。
【符号の説明】
２０  床ノズル
２１  本体ケース
２２  開口
２７  回転ロータ
２８  ロータ
２９  清掃体
３０  軸
３２Ａ、３２Ｂ  ブラケット
３３  軸受け
３５  支持溝
３７  嵌合ガイド
３８  筒状部
３９  羽根
４０  切欠
４４  空気取り入れ口
【図１】
0004132339.tif 000002
【図２】
0004132339.tif 000003
【図３】
0004132339.tif 000004
【図４】
0004132339.tif 000005
【図５】
0004132339.tif 000006
【図６】
0004132339.tif 000007
【図７】
0004132339.tif 000008
【図８】
0004132339.tif 000009